(57)【要約】 【課題】シートの曲面部分において縫い代でつなぎ合わせられてシングル・ステッチ掛けされた表皮部分に生ずるうねりやシングル・ステッチ・ラインの蛇行を防止できて見映えを向上する。 【解決手段】二枚の表皮片１１、１２が、両方の短い縫い代１７、１８を揃えて互いに表面１３、１４を重ね合わせ、裏打ちテープ１９が、その両縫い代１７、１８の端末に片側テープ縁２０を揃えてその二枚の表皮片１１、１２の一方の裏面１５に重ね合わせられ、そして、その両縫い代１７、１８に縫い合わせられ、その縫い合わせられた裏打ちテープ１９が、その表皮片１１のその裏面１５にその両縫い代１７、１８を直交させてその両縫い代１７、１８を巻き込んで折り曲げられ、そして、その二枚の表皮片１１、１２の他方１２が、その重ね合わせ状態から折り曲げられてその折り曲げられた裏打ちテープ１９上に重ね合わせられ、そして、シングル・ステッチ２２でその裏打ちテープ１９に縫い付けられる 【選択図】図２
2006116061.tif 000002
【特許請求の範囲】
【請求項１】
二枚の表皮片が、両方の短い縫い代を揃えて互いに表面を重ね合わせ、裏打ちテープが、その両縫い代の端末に片側テープ縁を揃えてその二枚の表皮片の一方の裏面に重ね合わせられ、そして、その両縫い代に縫い合わせられ、その縫い合わせられた裏打ちテープが、その表皮片のその裏面にその両縫い代を直交させてその両縫い代を巻き込んで折り曲げられ、そして、その二枚の表皮片の他方が、その重ね合わせ状態から折り曲げられてその折り曲げられた裏打ちテープ上に重ね合わせられ、そして、シングル・ステッチでその裏打ちテープに縫い付けられるところの自動車シートに用いる表皮。 
【請求項２】
二枚の表皮片が、両方の短い縫い代を揃えて互いに表面を重ね合わせ、裏打ちテープが、その両縫い代の端末に片側テープ縁を引っ込めてその二枚の表皮片の一方の裏面に重ね合わせられ、そして、その片側テープ縁から食み出されたその両縫い代の端末側を切断しながらその両方の短くされた縫い代に縫い合わせられ、その縫い合わせられた裏打ちテープが、その表皮片のその裏面にその両方の短くされた縫い代を直交させてその短くされた縫い代を巻き込んで折り曲げられ、そして、その二枚の表皮片の他方が、その重ね合わせ状態から折り曲げられてその折り曲げられた裏打ちテープ上に重ね合わせられ、そして、シングル・ステッチでその裏打ちテープに縫い付けられるところの自動車シートに用いる表皮。 
【発明の詳細な説明】
【技術分野】
【０００１】
この発明は、自動車シートに用いる表皮に関し、そして詳細には、シートの曲面部分の仕上がりを改善するところの自動車シートに用いる表皮に関する。 
【背景技術】
【０００２】
自動車シートは、表皮にシングル・ステッチを施して意匠効果を得る場合がある。 
その種の表皮では、互いに隣り合う二枚の表皮片が互いに表面を重ね合わせて両縫い代を縫ってつなぎ合わせられ、そして、その二枚の表皮片の一方がその縫い合わせられた両縫い代側に折り曲げられてシングル・ステッチでその両縫い代に縫い付けられるので、その表皮がシート・フレームに組み付けられたパッドに被せられてそのシート・フレームに止められると、その表皮はそのシートの曲面部分においてうねりを生じ、また、そのシングル・ステッチ・ラインに蛇行を生じて見映えが悪くなる。 
【特許文献１】特開２００４−１８８１７６公報
【発明の開示】
【発明が解決しようとする課題】
【０００３】
この発明の課題は、シートの曲面部分において縫い代でつなぎ合わせられてシングル・ステッチ掛けされた表皮部分に生ずるうねりやシングル・ステッチ・ラインの蛇行を防止でき、そして、見映えを向上するところの自動車シートに用いる表皮の提供にある。 
【課題を解決するための手段】
【０００４】
この発明は、二枚の表皮片が、両方の短い縫い代を揃えて互いに表面を重ね合わせ、裏打ちテープが、その両縫い代の端末に片側テープ縁を揃えてその二枚の表皮片の一方の裏面に重ね合わせられ、そして、その両縫い代に縫い合わせられ、その縫い合わせられた裏打ちテープが、その表皮片のその裏面にその両縫い代を直交させてその両縫い代を巻き込んで折り曲げられ、そして、その二枚の表皮片の他方が、その重ね合わせ状態から折り曲げられてその折り曲げられた裏打ちテープ上に重ね合わせられ、そして、シングル・ステッチでその裏打ちテープに縫い付けられる。 
【０００５】
また、この発明は、二枚の表皮片が、両方の短い縫い代を揃えて互いに表面を重ね合わせ、裏打ちテープが、その両縫い代の端末に片側テープ縁を引っ込めてその二枚の表皮片の一方の裏面に重ね合わせられ、そして、その片側テープ縁から食み出されたその両縫い代の端末側を切断しながらその両方の短くされた縫い代に縫い合わせられ、その縫い合わせられた裏打ちテープが、その表皮片のその裏面にその両方の短くされた縫い代を直交させてその短くされた縫い代を巻き込んで折り曲げられ、そして、その二枚の表皮片の他方が、その重ね合わせ状態から折り曲げられてその折り曲げられた裏打ちテープ上に重ね合わせられ、そして、シングル・ステッチでその裏打ちテープに縫い付けられる。 
【発明の効果】
【０００６】
この発明では、その二枚の表皮片が、両方の短い縫い代で縫い合わせられてつなぎ合わせられ、その裏打ちテープがその両方の短い縫い代に共縫いされ、その表皮片のその裏面にその両方の短い縫い代を直交させてその両方の短い縫い代を巻き込んで折り曲げられ、そして、その二枚の表皮片の他方がその重ね合わせ状態から折り曲げられてその折り曲げられた裏打ちテープ上に重ね合わせられ、そして、シングル・ステッチでその裏打ちテープに縫い付けられるので、シートの曲面部分においてその短い縫い代でつなぎ合わせられてシングル・ステッチ掛けされた部分に生ずるうねりやシングル・ステッチ・ラインの蛇行が防止され、そして、見映えが良くなる。また、この発明では、その両縫い代が短くされているにもかかわらず、その両縫い代がその裏打ちテープで密着状に保持されるので、その両縫い代がその両表皮片側で一方に引き込まれて傾斜されることも無く、そのつなぎ合わせの口開きも無く、そして、その両縫い代が短くされてそのつなぎ合わせ部分がシート表面に突き出されることも無い。 
【発明を実施するための最良の形態】
【０００７】
その二枚の表皮片のそれぞれの縫い代が、通常の表皮片の縫い代のほぼ半分の長さに設定され、そして、その裏打ちテープでシングル・ステッチを可能にし、そして、その裏打ちテープに不織布テープや薄ウレタン・シートを用いる。 
【実施例１】
【０００８】
以下、特定されて図示された具体例に基づいて、この発明の自動車シートに用いる表皮を説明するに、図１および図２は、乗用車のフロント・シートのシート・クッション３０に活用されるところのこの発明の自動車シートに用いる表皮の具体例１０を示し、そして、その表皮１０では、互いに隣り合う二枚の表皮片１１、１２が、両方の縫い代１７、１８を揃えて互いに表面１３、１４を重ね合わせ、裏打ちテープ１９が、その両方の短い縫い代１７、１８の端末に片側テープ縁２０を揃えてその二枚の表皮片１１、１２の一方１１の裏面１５に重ね合わせられ、そして、その両方の短い縫い代１７、１８に縫い合わせられ、その縫い合わせられた裏打ちテープ１９が、その表皮片１１のその裏面１５にその両方の短い縫い代１７、１８を直交させてその両方の短い縫い代１７、１８を巻き込んで折り曲げられ、そして、その二枚の表皮片１１、１２の他方１２が、その重ね合わせ状態から折り曲げられてその折り曲げられて裏打ちテープ１９側に折り曲げられて広げられ、その折り曲げられた裏打ちテープ１９上に重ね合わせられ、そして、シングル・ステッチ２２でその裏打ちテープ１９に縫い付けられる。 
【０００９】
その表皮片１１、１２では、その両方の短い縫い代１７、１８が、通常の表皮片の縫い代の半分以下の長さに設定され、そして、その裏打ちテープ１９には、不織布テープおよび薄ウレタン・シートなどから選択的に使用される。また、その裏打ちテープ１９は、その表皮片１１のその裏面１５に、すなわち、表皮面にその両方の短い縫い代１７、１８を立たせるようにその両方の短い縫い代１７、１８に巻き込まれて折り曲げられ、そして、そのシングル・ステッチ２２で他側テープ縁２１の側にその表皮片１２を縫い合わせる。
【００１０】
その表皮１０において、１６は裏面である。 
【００１１】
したがって、この表皮１０では、その二枚の表皮片１１、１２がその短い縫い代１７、１８で縫い合わせられてつながれてもその裏打ちテープ１９でシングル・ステッチ掛けが可能になり、シートの曲面部分においてその表皮１０のその両方の短い縫い代１７、１８でつなぎ合わせられてシングル・ステッチ掛けされた部分に生ずるうねりが防止され、また、シングル・ステッチ・ラインの蛇行も防止され、そして、見映えが良くなる。また、この表皮１０では、その両縫い代１７、１８が短くされたにもかかわらず、その両方の短い縫い代１７、１８がその裏打ちテープ１９で密着状に保持されてその両方の短い縫い代１７、１８がその両表皮片１１、１２の側で一方に引き込まれて傾斜されることも無く、そのつなぎ合わせの口開きも無く、そして、その両方の短い縫い代１７、１８が短くされてそのつなぎ合わせ部分がシート表面に突き出されることも無い。 
【実施例２】
【００１２】
図３ないし図５は、乗用車のフロント・シートのシート・クッション６０に活用されるところのこの発明の自動車シートに用いる表皮の具体例４０を示し、そして、その表皮４０では、二枚の表皮片４１、４２が、両方の縫い代４７、４８を揃えて互いに表面４３、４４を重ね合わせ、裏打ちテープ５１が、その両方の短い縫い代４７、４８の端末から片側テープ縁５２を引っ込めてその二枚の表皮片４１、４２の一方の裏面４５に重ね合わせられ、そして、その片側テープ縁５２から食み出されたその両縫い代４７、４８の端末側を切断しながらその両方の短くされた縫い代４９、５０に縫い合わせられ、その縫い合わせられた裏打ちテープ５１がその表皮片４１のその裏面４５にその両方の短くされた縫い代４９、５０を直交させてその両方の短くされた縫い代４９、５０を巻き込んで折り曲げられ、そして、その二枚の表皮片４１、４２の他方４２が、その重ね合わせ状態から折り曲げられて広げられ、その折り曲げられた裏打ちテープ５１に重ね合わせられ、そして、シングル・ステッチ５４でその裏打ちテープ５１に縫い付けられる。 
【００１３】
その表皮片４１、４２では、その縫い代４７、４８が、ほぼ半分の長さの短い縫い代４９、５０にその端末側を連続的に切断しながら同時にミシンでその裏打ちテープ５１に連続的に縫い合わせられるので、その裏打ちテープ５１は、その縫い代４７、４８のその端末からその縫い代４７、４８の切断位置までにその片側テープ縁５２をずらしてその一方の表皮片４１のその裏面４５に重ね合わせられる。また、その裏打ちテープ５１は、その表皮片４１のその裏面４５に、すなわち、表皮面にその両方の短くされた縫い代４９、５０を立たせるようにその両方の短くされた縫い代４９、５０に巻き付けられて折り曲げられ、そして、その縫い代４７、４８の切断に同時的にそのシングル・ステッチ５４で他側テープ縁５３の側にその表皮片４２を縫い合わせる。 
【００１４】
その裏打ちテープ５１は、不織布テープを用いたが、薄いウレタン・シートでもかまわない。 
【００１５】
その表皮４０において、４６は裏面である。 
【００１６】
したがって、この表皮４０では、その二枚の表皮片４１、４２がその短くされた縫い代４７、４８で縫い合わせられてつながれてもその裏打ちテープ５１でシングル・ステッチ掛けが可能になり、シートの曲面部分においてその表皮４０のその両方の短くされた縫い代４７、４８でつなぎ合わせられてシングル・ステッチ掛けされた部分に生ずるうねりが防止され、また、シングル・ステッチ・ラインの蛇行も防止され、そして、見映えが良くなる。また、この表皮４０では、その両縫い代４７、４８が短くされたにもかかわらず、その両方の短くされた縫い代４７、４８がその裏打ちテープ５１で密着状に保持されてその両方の短くされた縫い代４７、４８がその両表皮片４１、４２の側で一方に引き込まれて傾斜されることも無く、そのつなぎ合わせの口開きも無く、そして、その両方の縫い代４７、４８が短くされてそのつなぎ合わせ部分がシート表面に突き出されることも無い。
【００１７】
先に図面を参照して説明されたところのこの発明の特定された具体例から明らかであるように、この発明の属する技術分野における通常の知識を有する者にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ  ｃｏｍｍｅｎｓｕｒａｔｅ  ｗｉｔｈ）、そして、その発明の成立に必須である。 
【産業上の利用可能性】
【００１８】
上述から理解されるように、この発明の自動車シートに用いる表皮は、二枚の表皮片が、両方の短い縫い代を揃えて互いに表面を重ね合わせ、裏打ちテープが、その両縫い代の端末に片側テープ縁を揃えてその二枚の表皮片の一方の裏面に重ね合わせられ、そして、その両縫い代に縫い合わせられ、その縫い合わせられた裏打ちテープが、その表皮片のその裏面にその両縫い代を直交させてその両縫い代を巻き込んで折り曲げられ、そして、その二枚の表皮片の他方が、その重ね合わせ状態から折り曲げられてその折り曲げられた裏打ちテープ上に重ね合わせられ、そして、シングル・ステッチでその裏打ちテープに縫い付けられるので、この発明の自動車シートに用いる表皮では、シートの曲面部分においてその短い縫い代でつなぎ合わせられてシングル・ステッチ掛けされた部分に生ずるうねりやシングル・ステッチ・ラインの蛇行が防止され、そして、見映えが向上され、また、その両縫い代が短くなるにもかかわらず、その両方の短い縫い代がその裏打ちテープで密着状に保持され、その両方の短い縫い代がその両表皮片側で一方に引き込まれて傾斜されることも無く、その両縫い代が短くされてそのつなぎ合わせ部分がシート表面に突き出されることも無く、そのつなぎ合わせの口開きも無く、その結果、自動車シートにとって非常に有用で実用的である。 
【図面の簡単な説明】
【００１９】
【図１】この発明の自動車シートに用いる表皮の具体例で覆われた乗用車のフロント・シートのシート・クッションを示した斜視図である。
【図２】図１の２−２線に沿って示した断面図である。
【図３】この発明の自動車シートに用いる表皮の具体例で覆われた乗用車のフロント・シートのシート・クッションを示した斜視図である。
【図４】図３の４−４線に沿って示した断面図である。
【図５】縫い合わせ作業を示した断面図である。
【符号の説明】
【００２０】
１０    表皮 
１１    表皮片 
１２    表皮片 
１３    表面 
１４    表面 
１５    裏面 
１６    裏面 
１７    短い縫い代 
１８    短い縫い代 
１９    裏打ちテープ 
２０    片側テープ縁 
２１    他側テープ縁 
２２    シングル・ステッチ 
３０    シート・クッション 
４０    表皮 
４１    表皮片 
４２    表皮片 
４３    表面 
４４    表面 
４５    裏面 
４６    裏面 
４７    縫い代／通常の長さの縫い代 
４８    縫い代／通常の長さの縫い代 
４９    短くされた縫い代／短い縫い代 
５０    短くされた縫い代／短い縫い代 
５１    裏打ちテープ 
５２    片側テープ縁 
５３    他側テープ縁 
５４    シングル・ステッチ 
６０    シート・クッション 
【図１】
2006116061.tif 000003
【図２】
2006116061.tif 000004
【図３】
2006116061.tif 000005
【図４】
2006116061.tif 000006
【図５】
2006116061.tif 000007